(57)【要約】【課題】簡単な構成でありながら十分な強度を有する固定具を備え、壁面に強固に据え付けることができる電子機器を得ることにある。【解決手段】電子機器は、背面にボス部を有する筐体と、壁掛け具を取り付けるねじが挿入される挿入孔が形成されたカバーと、ねじを受ける固定具と、を具備する。固定具は、ボス部を間に挟んで向かい合う第１の側板部および第２の側板部と、第１の側板部と第２の側板部との間に跨るとともに、挿入孔に挿入されたねじがねじ込まれるブリッジ部と、第１の側板部から第２の側板部に向けて延出され、筐体の背面の上に重なり合うとともにボス部が貫通する第１の片部と、第１の片部と向かい合うように第２の側板部から第１の側板部に向けて延出され、ボス部の先端に固定される第２の片部と、を備えている。【選択図】図５
2014154781.tif 000002
【特許請求の範囲】
【請求項１】
背面から突出されたボス部を有する筐体と、
前記背面を覆うように前記筐体に設けられ、壁掛け具を取り付けるためのねじが挿入される挿入孔が形成されたカバーと、
前記筐体の背面に取り付けられ、前記カバーで覆われるとともに前記ねじを受ける固定具と、を具備し、
前記固定具は、
前記ボス部を間に挟んで向かい合う第１の側板部および第２の側板部と、
前記第１の側板部と前記第２の側板部との間に跨るとともに、前記挿入孔に挿入された前記ねじがねじ込まれるブリッジ部と、
前記第１の側板部から前記第２の側板部に向けて延出され、前記筐体の前記背面の上に重なり合うとともに、前記ボス部が貫通する第１の片部と、
前記第１の片部と向かい合うように前記第２の側板部から前記第１の側板部に向けて延出され、前記ボス部の先端に固定される第２の片部と、を備えた電子機器。
【請求項２】
請求項１に記載の電子機器において、前記固定具は、曲げ加工された金属板で構成された一体構造物である電子機器。
【請求項３】
請求項１又は請求項２に記載の電子機器において、前記ブリッジ部は、前記第２の片部よりも前記筐体の背面から遠ざかった位置に設けられ、前記ブリッジ部と前記第２の片部との間に段差が設けられた電子機器。
【請求項４】
請求項３に記載の電子機器において、前記カバーは、前記段差に入り込む凹部を有し、当該凹部の底が前記固定具の前記第２の片部の上に重なり合うとともに、前記凹部の底および前記第２の片部が固定ねじを介して前記ボス部の先端に固定された電子機器。
【請求項５】
請求項４に記載の電子機器において、前記固定具の前記第２の片部が前記凹部の底と前記ボス部の先端との間で挟持された電子機器。
【請求項６】
請求項４又は請求項５に記載の電子機器において、前記固定ねじの頭部が前記凹部に収容された電子機器。
【請求項７】
請求項１又は請求項２に記載の電子機器において、前記ブリッジ部は、前記カバーの内面に突き合わされているとともに、前記カバーの前記内面に前記ブリッジ部を挟み込む一対の凸部が設けられた電子機器。
【請求項８】
請求項１又は請求項２に記載の電子機器において、前記筐体は、前記背面から突出されたバックボーン部を有し、前記固定具は、前記バックボーン部を挟み込む一対のガイド片を有する電子機器。
【請求項９】
請求項８に記載の電子機器において、一方の前記ガイド片は、前記第１の側板部に設けられ、他方の前記ガイド片は、前記第２の側板部に設けられた電子機器。
【請求項１０】
ボス部を有する筐体と、
前記筐体に設けられ、ねじが挿入される挿入孔が形成されたカバーと、
前記筐体と前記カバーとの間に介在され、前記ねじを受ける固定具と、を具備し、
前記固定具は、
互いに間隔を存して向かい合う第１の側板部および第２の側板部と、
前記第１の側板部と前記第２の側板部との間を連結し、前記挿入孔に挿入された前記ねじがねじ込まれるブリッジ部と、
前記第１の側板部から前記第２の側板部に向けて延出され、前記ボス部が貫通する第１の片部と、
前記第１の片部と向かい合うように前記第２の側板部から前記第１の側板部に向けて延出され、前記ボス部の先端に固定された第２の片部と、を備えた電子機器。
【請求項１１】
ボス部を有する筐体と、
前記筐体に設けられ、壁掛け具を取り付けるためのねじが挿入される第１の挿入孔および第２の挿入孔が形成されたカバーと、
前記筐体の前記ボス部に取り付けられ、前記第１の挿入孔に対応した位置で前記ねじを受ける第１の固定具と、
前記カバーの内面に取り付けられ、前記第２の挿入孔に対応した位置で前記ねじを受ける第２の固定具と、を具備した電子機器。
【請求項１２】
請求項１１に記載の電子機器において、前記第１の固定具は、前記ボス部を間に挟んで向かい合う第１の側板部および第２の側板部と、前記第１の側板部と前記第２の側板部との間を連結し、前記第１の挿入孔に挿入された前記ねじがねじ込まれるブリッジ部と、前記第１の側板部から前記第２の側板部に向けて延出され、前記ボス部が貫通する第１の片部と、前記第１の片部と向かい合うように前記第２の側板部から前記第１の側板部に向けて延出され、前記ボス部の先端に固定された第２の片部と、を備えた電子機器。
【請求項１３】
請求項１２に記載の電子機器において、前記第１の固定具は、曲げ加工された金属板で構成された一体構造物である電子機器。
【請求項１４】
請求項１１ないし請求項１３のいずれか一項に記載の電子機器において、前記カバーの内面に金具支持部が設けられ、前記第２の固定具が前記金具支持部に取り付けられた電子機器。
【発明の詳細な説明】
【技術分野】
【０００１】
本発明の実施形態は、壁掛け形の電子機器に関する。
【背景技術】
【０００２】
起立した壁面に据え付けが可能な液晶テレビあるいはモニターのような電子機器は、筐体の内部に壁掛け具を固定するための固定具が収容されている。固定具は、壁掛け具をしっかりと受け止めることができるように、十分な強度が必要となる。
【先行技術文献】
【特許文献】
【０００３】
【特許文献１】特開２００８−１４１６０６号公報
【発明の概要】
【発明が解決しようとする課題】
【０００４】
固定具の強度を確保するため、例えば固定具に複数のリブを設けた場合、固定具の構造が複雑となるのを否めない。この結果、固定具が重く大きなものとなるとともに、固定具のコストアップを招く一つの要因となる。
【０００５】
本発明の目的は、簡単な構成でありながら十分な強度を有する固定具を備え、壁に強固に据え付けることができる電子機器を得ることにある。
【課題を解決するための手段】
【０００６】
実施形態によれば、電子機器は、背面から突出されたボス部を有する筐体と、前記背面を覆うように前記筐体に設けられ、壁掛け具を取り付けるためのねじが挿入される挿入孔が形成されたカバーと、前記筐体の背面に取り付けられ、前記カバーで覆われるとともに前記ねじを受ける固定具と、を具備している。
【０００７】
前記固定具は、前記ボス部を間に挟んで向かい合う第１の側板部および第２の側板部と、前記第１の側板部と前記第２の側板部との間に跨るとともに、前記挿入孔に挿入された前記ねじがねじ込まれるブリッジ部と、前記第１の側板部から前記第２の側板部に向けて延出され、前記筐体の前記背面の上に重なり合うとともに、前記ボス部が貫通する第１の片部と、前記第１の片部と向かい合うように前記第２の側板部から前記第１の側板部に向けて延出され、前記ボス部の先端に固定される第２の片部と、を備えている。
【図面の簡単な説明】
【０００８】
【図１】実施形態に係る壁掛け形の液晶テレビの正面図。
【図２】壁掛け具を用いて液晶テレビを壁面に据え付けた状態を示す側面図。
【図３】ユニットカバーを取り外して第１の固定具を露出させた状態を示す液晶テレビの背面図。
【図４】バックベゼルと第１の固定具との位置関係を示す斜視図。
【図５】図４のＦ５の箇所を拡大して示す斜視図。
【図６】第１の固定具の斜視図。
【図７】第１の固定具を支えるボス部が形成された金具取り付け部の斜視図。
【図８】ユニットカバーの斜視図。
【図９】バックベゼルとユニットカバーとの間に第１の固定具を設置した状態を示す断面図。
【図１０】図９のＦ１０−Ｆ１０線に沿う断面図。
【図１１】図９のＦ１１−Ｆ１１線に沿う断面図。
【図１２】ユニットカバーに設けられた金具支持部に第２の固定具を取り付けた状態を示す平面図。
【図１３】金具支持部および第２の固定具の形状を示す斜視図。
【発明を実施するための形態】
【０００９】
以下、実施形態について、図面を参照して説明する。
【００１０】
図１および図２は、一つの実施形態に係る壁掛け形の液晶テレビ１を開示している。液晶テレビ１は、電子機器又は表示装置の一例である。液晶テレビ１は、壁掛け具２を介して起立した壁面３に据え付けられている。
【００１１】
図２に示すように、壁掛け具２は、壁面３に固定された固定金具４と、固定金具４に取り外し可能に支持された中継金具５と、を備えている。中継金具５は、液晶テレビ１を壁面３に据え付ける時に、液晶テレビ１の筐体７に取り付けられる。
【００１２】
筐体７は、例えば偏平な四角い箱形の形状を有している。筐体７は、フロントベゼル８およびバックベゼル９を備えている。フロントベゼル８およびバックベゼル９は、例えばＡＢＳ樹脂のような合成樹脂材料で構成されている。
【００１３】
フロントベゼル８は、第１のカバーと言い換えることができる。フロントベゼル８は、第１ないし第４の縁部１１ａ，１１ｂ，１１ｃ，１１ｄを有する横長の枠状である。第１ないし第４の縁部１１ａ，１１ｂ，１１ｃ，１１ｄは、互いに協働して四角い開口部１２を規定している。
【００１４】
バックベゼル９は、第２のカバーと言い換えることができる。バックベゼル９は、フロントベゼル８を背後から覆うようにフロントベゼル８に組み合わされている。
【００１５】
液晶パネル１３がフロントベゼル８とバックベゼル９との間に収容されている。液晶パネル１３は、例えば液晶層を有するパネル本体、偏光板および保護シート等を積層した偏平な四角い板である。液晶パネル１３は、映像を映し出す画面１４を有している。画面１４は、フロントベゼル８の開口部１２から筐体７の外に露出されている。
【００１６】
さらに、図示しないバックライトモジュールが液晶パネル１３とバックベゼル９との間に配置されている。バックライトモジュールは、例えば複数の発光ダイオード、導光板およびヒートシンクを備えている。発光ダイオードから放射された光は、例えば導光板の一側から導光板に入射される。導光板に入射された光は、導光板の内部で反射を繰り返した後に、導光板の表面から液晶パネル１３に向かう。
【００１７】
したがって、バックライトモジュールから液晶パネル１３に向けて光が照射され、液晶パネル１３の画面１４に表示された映像の視認性が高まる。
【００１８】
図３に示すように、バックベゼル９は、液晶パネル１３の背後に位置された背面１７を有している。さらに、バックベゼル９は、一対のバックボーン部１８ａ，１８ｂを有している。バックボーン部１８ａ，１８ｂは、バックベゼル９を補強する要素であり、バックベゼル９に一体に形成されている。バックボーン部１８ａ，１８ｂは、バックベゼル９の高さ方向に沿って直線状に延びているとともに、バックベゼル９の幅方向に互いに間隔を存して並んでいる。
【００１９】
本実施形態の場合、バックボーン部１８ａ，１８ｂは、バックベゼル９の幅方向に沿う中心を通ってバックベゼル９の高さ方向に延びる中心線ＣＬに対し線対称に配置されている。
【００２０】
図１０および図１１に一方のバックボーン部１８ａを代表して示すように、バックボーン部１８は、バックベゼル９の背面１７から突出するような凸形状を有している。具体的には、バックボーン部１８ａは、一対の側壁部１９ａ，１９ｂと連結壁部２０とで規定されている。側壁部１９ａ，１９ｂは、背面１７から起立するとともに、バックベゼル９の幅方向に間隔を存して向かい合っている。連結壁部２０は、側壁部１９ａ，１９ｂの突出端の間に跨っている。
【００２１】
図５および図７に示すように、バックボーン部１８ａ，１８ｂの長手方向に沿う中間部に金具取り付け部２２が形成されている。図７に示すように、金具取り付け部２２は、ボス部２３を有している。ボス部２３は、バックボーン部１８ａ，１８ｂの連結壁部２０に一体に形成されているとともに、連結壁部２０からバックベゼル９の背面１７の背後に向けて突出されている。ボス部２３は、フラットな先端面２３ａと、当該先端面２３ａに開口された係合孔２４とを有している。
【００２２】
図３および図４に示すように、バックベゼル９の背面１７の大部分は、ノイズ対策用のシールド板２５で覆われている。シールド板２５は、バックボーン部１８ａ，１８ｂに対応した位置に、金具取り付け部２２を露出させる開口部２５ａを有している。
【００２３】
シールド板２５の左半部の上に電源基板２６が取り付けられている。シールド板２５の右半部の上にメイン基板２７が取り付けられている。さらに、シールド板２５から外れたバックベゼル９の背面１７の中央部に駆動基板２８が取り付けられている。電源基板２６、メイン基板２７および駆動基板２８は、液晶パネル１３の駆動を司る要素である。
【００２４】
図２に示すように、筐体７は、第３のカバーとしてのユニットカバー３０を含んでいる。ユニットカバー３０は、例えばＡＢＳ樹脂のような合成樹脂材料で構成されている。ユニットカバー３０は、バックベゼル９を背後から覆うようにフロントベゼル８およびバックベゼル９に組み付けられている。そのため、シールド板２５、電源基板２６、メイン基板２７、駆動基板２８は、ユニットカバー３０で覆い隠されている。
【００２５】
図８に示すように、ユニットカバー３０は、後壁３１を有している。後壁３１には、壁掛け具２の中継金具５を取り付ける際に用いる第１ないし第４の挿入孔３２ａ，３２ｂ，３２ｃ，３２ｄが形成されている。第１ないし第４の挿入孔３２ａ，３２ｂ，３２ｃ，３２ｄは、夫々中継金具５を液晶テレビ１に取り付けるねじ３３（図２に示す）が挿入される要素であって、後壁３１の中央部に配置されている。
【００２６】
具体的には、第１の挿入孔３２ａおよび第２の挿入孔３２ｂは、バックボーン部１８ａ，１８ｂの金具取り付け部２２に対応するように、ユニットカバー３０の幅方向に間隔を存して並んでいる。第３の挿入孔３２ｃおよび第４の挿入孔３２ｄは、第１の挿入孔３２ａおよび第２の挿入孔３２ｂの下方でユニットカバー３０の幅方向に間隔を存して並んでいる。
【００２７】
さらに、ユニットカバー３０の後壁３１に一対の凹部３５ａ，３５ｂが形成されている。一方の凹部３５ａは、第１の挿入孔３２ａの真下に位置するように第１の挿入孔３２ａと隣り合っている。他方の凹部３５ｂは、第２の挿入孔３２ｂの真下に位置するように第２の挿入孔３２ｂと隣り合っている。
【００２８】
図９に一方の凹部３５ａを代表して示すように、各凹部３５ａ，３５ｂは、金具取り付け部２２に対応した位置でユニットカバー３０の内側に向けて凹んでいる。凹部３５ａ，３５ｂは、夫々フラットな底３６と、底３６に開口された通孔３７とを有している。
【００２９】
図３ないし図５に示すように、バックボーン部１８ａ，１８ｂの金具取り付け部２２に夫々第１の固定具４０が取り付けられている。第１の固定具４０は、第１の挿入孔３２ａおよび第２の挿入孔３２ｂに挿入されたねじ３３を受け止める要素である。第１の固定具４０は、例えば曲げ加工されたメッキ鋼板で構成されている。
【００３０】
具体的には、図５、図６、図９ないし図１１に示すように、第１の固定具４０は、第１の側板部４１、第２の側板部４２、ブリッジ部４３、第１の片部４４、第２の片部４５および一対のガイド片４６ａ，４６ｂを有する一体構造物である。
【００３１】
第１の側板部４１および第２の側板部４２は、ボス部２３を挟むようにバックベゼル９の幅方向に間隔を存して向かい合っている。第１の側板部４１および第２の側板部４２は、夫々第１の端部４７ａおよび第２の端部４７ｂを有している。第１の端部４７ａおよび第２の端部４７ｂは、バックベゼル９の高さ方向に並んでいる。
【００３２】
ブリッジ部４３は、第１の側板部４１および第２の側板部４２と直交する方向に延びる四角い板であり、第１の側板部４１の第１の端部４７ａの縁と第２の側板部４２の第１の端部４７ａの縁との間に跨っている。そのため、第１の側板部４１および第２の側板部４２は、ブリッジ部４３を介して一体的に連結されている。
【００３３】
ブリッジ部４３は、ユニットカバー３０の後壁３１の内面と重なり合うとともに、当該ブリッジ部４３の中央にねじ導入孔４８が形成されている。さらに、ブリッジ部４３の裏面にナット４９が溶接等の手段で固定されている。ナット４９は、ねじ導入孔４８と合致している。
【００３４】
第１の片部４４は、第１の側板部４１の第２の端部４７ｂの縁から直角に折り曲げられている。言い換えると、第１の片部４４は、第１の側板部４１の縁から第２の側板部４２に向けて一体的に延出されている。第１の片部４４は、バックベゼル９の背面１７の金具取り付け部２２の上に重なり合うとともに、第１の片部４４の中央部にボス部２３が貫通する貫通孔５１が形成されている。
【００３５】
第２の片部４５は、第２の側板部４２の第２の端部４７ｂの縁から直角に折り曲げられている。言い換えると、第２の片部４５は、第２の側板部４２の縁から第１の側板部４１に向けて一体的に延出されている。第２の片部４５は、ボス部２３の軸方向に離れた位置で第１の片部４４と向かい合っている。さらに、第２の片部４５は、ボス部２３の先端面２３ａと重なり合うとともに、第２の片部４５の中央部にねじ導入孔５２が形成されている。ねじ導入孔５２は、ボス部２３の係合孔２４と合致する。
【００３６】
図５および図９に示すように、第１の固定具４０のブリッジ部４３は、第２の片部４５よりも金具取り付け部２２から遠ざかった位置に設けられている。このため、ブリッジ部４３と第２の片部４５との間には、ボス部２３の軸方向に沿う段差５３が形成されている。段差５３は、ユニットカバー３０の凹部３５ａ，３５ｂに対応した位置に設けられている。凹部３５ａ，３５ｂは、段差５３に入り込むとともに、凹部３５ａ，３５ｂの底３６が第２の片部４５の上に重なり合うようになっている。
【００３７】
ガイド片４６ａは、第１の側板部４１の第１の端部４７ａからブリッジ部４３の反対側に向けて一体的に延出されている。ガイド片４６ｂは、第２の側板部４２の第１の端部４７ａからブリッジ部４３の反対側に向けて一体的に延出されている。ガイド片４６ａ，４６ｂは、バックボーン部１８ａ，１８ｂを挟み込むようにバックベゼル９の幅方向に間隔を存して向かい合っている。これにより、ガイド片４６ａ，４６ｂがバックボーン部１８ａ，１８ｂに引っ掛かり、バックベゼル９の幅方向に沿う第１の固定具４０の位置決めがなされる。
【００３８】
図９に示すように、第１の固定具４０は、固定ねじ５５を介してバックベゼル９の金具取り付け部２２に固定されている。固定ねじ５５は、凹部３５ａ，３５ｂの通孔３７および第２の片部４５のねじ導入孔５２を貫通してボス部２３の係合孔２４にねじ込まれている。
【００３９】
このねじ込みにより、固定ねじ５５の頭部５６が凹部３５ａ，３５ｂの底３６に突き当たるとともに、第１の固定具４０の第２の片部４５が凹部３５ａ，３５ｂの底３６とボス部２３の先端面２３ａとの間で挟持される。固定ねじ５５の頭部５６は、ユニットカバー３０の背後に突出することなく凹部３５ａ，３５ｂの内側に収まっている。
【００４０】
固定ねじ５５をボス部２３にねじ込むことで、第１の固定具４０の第１の片部４４が金具取り付け部２２の上に押し付けられるとともに、ガイド片４６ａ，４６ｂがバックボーン部１８ａ，１８ｂを挟み込んだ状態に保持される。
【００４１】
さらに、第１の固定具４０をバックベゼル９の金具取り付け部２２に固定すると、第１の固定具４０のブリッジ部４３がユニットカバー３０の後壁３１の内面に重なり合う。本実施形態では、後壁３１の内面に一対の凸部５７ａ，５７ｂが形成されている。図１０に示すように、凸部５７ａ，５７ｂは、ユニットカバー３０の幅方向に間隔を存して並んでおり、第１の固定具４０のブリッジ部４３を挟み込んでいる。
【００４２】
図１２および図１３に示すように、ユニットカバー３０の後壁３１の内面には、第３の挿入孔３２ｃおよび第４の挿入孔３２ｄに対応する位置に夫々金具支持部６１が一体に形成されている。
【００４３】
各金具支持部６１は、一対のストッパ壁６２ａ，６２ｂと、一対の支持壁６３ａ，６３ｂと、を備えている。ストッパ壁６２ａ，６２ｂは、ユニットカバー３０の高さ方向に間隔を存して向かい合っている。各ストッパ壁６２ａ，６２ｂは、直角に折れ曲がったコーナ部６４と、コーナ部６４に連続する第１のガイド部６５と、を有している。ストッパ壁６２ａ，６２ｂの第１のガイド部６５は、コーナ部６４の反対側に向けて互いに遠ざかる方向に傾斜している。
【００４４】
さらに、係合突起６６が後壁３１の内面に形成されている。係合突起６６は、ストッパ壁６２ａ，６２ｂの間に位置されている。
【００４５】
支持壁６３ａ，６３ｂは、第３の挿入孔３２ｃおよび第４の挿入孔３２ｄを間に挟んで互いに向かい合っている。各支持壁６３ａ，６３ｂは、後壁３１の内面から立ち上がる起立部６８と、起立部６８の先端に連続する押圧部６９と、を備えている。
【００４６】
支持壁６３ａ，６３ｂの起立部６８は、ストッパ壁６２ａ，６２ｂのガイド部６５と隣り合っている。ガイド部６５に隣接する起立部６８の端部に第２のガイド部７０が形成されている。第２のガイド部７０は、起立部６８と直交するように支持壁６３ａ，６３ｂの間に向けて張り出している。
【００４７】
支持壁６３ａ，６３ｂの押圧部６９は、起立部６８の先端から支持壁６３ａ，６３ｂの間に向けて張り出している。このため、押圧部６９は、後壁３１の内面と向かい合っている。
【００４８】
さらに、各支持壁６３ａ，６３ｂは、リブ７１によって補強されている。リブ７１は、起立部６８の外面に沿うように後壁３１の内面から立ち上がるとともに、その先端が押圧部６９の外面にまで達している。
【００４９】
リブ７１は一つに限らず、例えば三つのリブで各支持壁６３ａ，６３ｂを補強するようにしてもよい。三つのリブは、ユニットカバー３０の幅方向に間隔を存して配置することが望ましい。
【００５０】
第２の固定具７３が金具支持部６１に取り付けられている。第２の固定具７３は、第３の挿入孔３２ｃおよび第４の挿入孔３２ｄに挿入されたねじ３３を受け止める要素である。第２の固定具７３は、例えば曲げ加工されたメッキ鋼板で構成されている。
【００５１】
図１３に示すように、第２の固定具７３は、底板部７４、第１の側板部７５、第２の側板部７６および天板部７７を有する一体構造物である。底板部７４は、後壁３１の内面に重なり合うフラットな板であって、図１３に矢印で示すように、金具支持部６１のストッパ壁６２ａ，６２ｂの間に挿入される。
【００５２】
底板部７４は、係合突起６６が引っ掛かる係合孔７８と、ねじ３３が挿入されるねじ導入孔７９と、を有している。さらに、底板部７４の上にねじ導入孔７９に合致するようにナット８０が溶接されている。
【００５３】
第１の側板部７５は、底板部７４の一方の側縁から直角に折り曲げられている。第１の側板部７５は、後壁３１の内面と支持壁６３ａの押圧部６９との間に挿入可能な高さ寸法を有している。第１の側板部７５の先端縁の中間部には、突起８１が形成されている。
【００５４】
第２の側板部７６は、底板部７４の他方の側縁から直角に折り曲げられている。第２の側板部７６は、第１の側板部７５と向かい合うとともに、第１の側板部７５よりも高さ寸法が大きい。
【００５５】
スリット８３が第２の側板部７６に形成されている。スリット８３は、支持壁６３ｂの押圧部６９が入り込むように支持壁６３ｂに向けて開口されている。スリット８３の縁の中間部には、突起８４が形成されている。
【００５６】
天板部７７は、第２の側板部７６の先端から直角に折り曲げられている。天板部７７は、ナット８０を覆うように底板部７４の上に張り出している。
【００５７】
第２の固定具７３は、後壁３１の内面に沿わせて支持壁６３ａ，６３ｂの間からストッパ壁６２ａ，６２ｂの間に導くことで金具支持部６１に固定される。すなわち、第２の固定具７３の第１の側板部７５および第２の側板部７６が支持壁６３ａ，６３ｂの第２のガイド部７０の間を通してストッパ壁６２ａ，６２ｂの第１のガイド部６５の間に導入される。
【００５８】
第２の固定具７３の底板部７４の先端縁がストッパ壁６２ａ，６２ｂのコーナ部６４に突き当たると、後壁３１の内面の係合突起６６が底板部７４の係合孔７８に引っ掛かる。それとともに、ねじ導入孔７９およびナット８０が第３の挿入孔３２ｃおよび第４の挿入孔３２ｄと合致する。
【００５９】
さらに、第１の側板部７５の突起８１が支持壁６３ａの押圧部６９の内面に接触するとともに、第２の側板部７６の突起８４が支持壁６３ｂの押圧部６９の内面に接触する。この接触により、第２の固定具７３の底板部７４が後壁３１の内面に押し付けられ、第２の固定具７３が金具支持部６１に脱落不能に保持される。
【００６０】
液晶テレビ１を壁面３に据え付けるには、壁面３に壁掛け具２の固定金具４をねじ止め等の手段で固定する。さらに、ユニットカバー３０の後壁３１に壁掛け具２の中継金具５を四本のねじ３３で固定する。
【００６１】
具体的には、中継金具５を貫通してユニットカバー３０の第１の挿入孔３２ａおよび第２の挿入孔３２ｂに挿入されたねじ３３は、第１の固定具４０のねじ導入孔４８を経てナット４９にねじ込まれる。同様に、中継金具５を貫通してユニットカバー３０の第３の挿入孔３２ｃおよび第４の挿入孔３２ｄに挿入されたねじ３３は、第２の固定具７３のねじ導入孔７９を経てナット８０にねじ込まれる。
【００６２】
ねじ３３のねじ込みにより、中継金具５がユニットカバー３０の後壁３１に固定される。この状態で、中継金具５を固定金具４に引っ掛けることで、壁面３に液晶テレビ１を据え付けることができる。
【００６３】
このような実施形態によれば、中継金具５をバックベゼル９に固定するねじ３３を受ける第１の固定具４０は、バックベゼル９のボス部２３を間に挟んで向かい合う第１の側板部４１および第２の側板部４２を有している。第１の側板部４１および第２の側板部４２は、ブリッジ部４３で互いに一体的に連結されている。
【００６４】
さらに、ボス部２３が貫通する第１の片部４４は、第１の側板部４１から第２の側板部４２に向けて直角に折り曲げられ、ボス部２３の先端面２３ａに固定ねじ５５で固定される第２の片部４５は、第２の側板部４２から第１の側板部４１に向けて直角に折り曲げられている。
【００６５】
言い換えると、共通のボス部２３に連結される第１の片部４４および第２の片部４５が、互いに向かい合う第１の側板部４１および第２の側板部４２から交互にボス部２３に向けて延出されている。
【００６６】
このため、液晶テレビ１を壁面３に据え付けた時に、第１の固定具５５とボス部２３との連結箇所に加わる荷重を第１の側板部４１および第２の側板部４２の双方で受け止めることができる。このため、強度的な面で有利な構成となり、第１の固定具５５から補強用の格別なリブ等を省略することができる。よって、メッキ鋼板を単に折り曲げただけの簡単な構成でありながら、第１の固定具５５の強度を十分に確保することができる。
【００６７】
したがって、第１の固定具５５で中継金具５をしっかりと保持することができ、液晶テレビ１を壁面３に強固に据え付けることができる。
【００６８】
さらに、本実施例では、第１の固定具４０が筐体７のバックベゼル９に固定され、第２の固定具７０がバックベゼル９を背後から覆ったユニットカバー３０に固定されている。このため、中継金具５をバックベゼル９およびユニットカバー３０の双方で支えることができ、中継金具５の取り付け強度を十分に確保することができる。
【００６９】
実施形態に係る電子機器は、液晶テレビに特定されるものではなく、例えばパーソナルコンピュータのモニターであって同様に実施可能である。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
２…壁掛け具、７…筐体、１７…背面、２３…ボス部、３０…ユニットカバー、３２ａ，３２ｂ，３２ｃ，３２ｄ…第１ないし第４の挿入孔、４０…固定具（第１の固定具）、４１…第１の側板部、４２…第２の側板部、４３…ブリッジ部、４４…第１の片部、４５…第２の片部、７３…第２の固定具。
【図１】
2014154781.tif 000003
【図２】
2014154781.tif 000004
【図３】
2014154781.tif 000005
【図４】
2014154781.tif 000006
【図５】
2014154781.tif 000007
【図６】
2014154781.tif 000008
【図７】
2014154781.tif 000009
【図８】
2014154781.tif 000010
【図９】
2014154781.tif 000011
【図１０】
2014154781.tif 000012
【図１１】
2014154781.tif 000013
【図１２】
2014154781.tif 000014
【図１３】
2014154781.tif 000015